【手続補正書】
【提出日】平成20年8月28日(2008.8.28)
【手続補正１】
【補正対象書類名】特許請求の範囲
【補正対象項目名】全文
【補正方法】変更
【補正の内容】
【特許請求の範囲】
【請求項１】
円筒状の記録媒体と、前記記録媒体に対向するピックアップとが設けられた記録媒体駆動装置において、
前記記録媒体は、外周面に位置する光透過性の外円筒部材と、内周面に位置する内円筒部材と、前記外円筒部材と前記内円筒部材との間に封入された光記録材料層とを有し、前記光記録材料層の内部に、光を干渉させて形成した干渉縞がデータとして記録されており、
前記記録媒体の外周面に前記光ピックアップが対向し、前記光ピックアップには、光源と、前記光源から発せられた光を前記光記録材料層へ参照光として与える集束レンズと、前記記録媒体から外周面の外側へ向けて反射され且つ前記干渉縞で回折された再生光を読み取る撮像部材と、が設けられていることを特徴とする記録媒体駆動装置。
【請求項２】
前記記録媒体は、内周面に雌ねじが形成されており、
外周面に雄ねじを有する嵌着部を有し、前記ピックアップが前記嵌着部の外周面に対向する位置に固定されており、
前記雌ねじが前記雄ねじに螺合した状態で前記記録媒体が回転させられ、前記記録媒体が前記嵌着部の軸方向へ移動する際に、前記ピックアップから前記光記録材料層へ前記参照光が与えられて、前記再生光が読み取られる請求項１記載の記録媒体駆動装置。
【請求項３】
前記記録媒体の一端部を保持する保持部材と、前記ピックアップを搭載した可動部材と、前記可動部材を前記記録媒体の外周面に対向させて前記記録媒体の軸方向へ移動させる移動機構と、が設けられている請求項１記載の記録媒体駆動装置。
【請求項４】
前記保持部材を、記録媒体と共に周方向に回転させる回転駆動機構が設けられている請求項３記載の記録媒体駆動装置。
【請求項５】
前記記録媒体の外周面に対向する前記ピックアップおよび前記移動部材が、２以上設けられている請求項３または４記載の記録媒体駆動装置。
【請求項６】
前記記録媒体を収納する筒状のハウジングと、前記ハウジングの一方の端部に設けられて前記記録媒体の一端を保持して前記ハウジング内で回転する保持部材とを有し、前記ハウジングにスリットが形成されており、
回転駆動機構によって前記保持部材が記録媒体と共に前記ハウジング内で回転させられ、前記可動部材が前記スリットに沿って移動させられる際に、前記参照光が前記スリットを介して前記光記録材料層へ与えられ、前記再生光が前記スリットを介して前記ピックアップで読み取られる請求項４記載の記録媒体駆動装置。
【請求項７】
円筒状の記録媒体と、前記記録媒体に対向するピックアップとが設けられた記録媒体駆動装置において、
前記記録媒体は、外周面に位置する外円筒部材と、内周面に位置する光透過性の内円筒部材と、前記外円筒部材と前記内円筒部材との間に封入された光記録材料層とを有し、前記光記録材料層の内部に、光を干渉させて形成した干渉縞がデータとして記録されており、
前記記録媒体の内周面に前記光ピックアップが対向し、前記光ピックアップには、光源と、前記光源から発せられた光を前記光記録材料層へ参照光として与える集束レンズと、前記記録媒体から内周面の内側へ向けて反射され且つ前記干渉縞で回折された再生光を読み取る撮像部材と、が設けられていることを特徴とする記録媒体駆動装置。
【請求項８】
前記記録媒体は、外周面に雄ねじが形成されており、
内周面に雌ねじを有する嵌着部を有し、前記ピックアップが前記嵌着部の内周面に対向する位置に固定されており、
前記雄ねじが前記雌ねじに螺合した状態で前記記録媒体が回転させられ、前記記録媒体が前記嵌着部の軸方向へ移動する際に、前記ピックアップから前記光記録材料層へ前記参照光が与えられて、前記再生光が読み取られる請求項７記載の記録媒体駆動装置。
【請求項９】
前記記録媒体の一端部を保持する保持部材と、前記ピックアップを搭載した可動部材と、前記可動部材を前記記録媒体の内周面に対向させて前記記録媒体の軸方向へ移動させる移動機構と、が設けられている請求項７記載の記録媒体駆動装置。
【請求項１０】
前記保持部材を、記録媒体と共に周方向に回転させる回転駆動機構が設けられている請求項９記載の記録媒体駆動装置。
【請求項１１】
前記記録媒体の内周面に対向する前記ピックアップおよび前記移動部材が、２以上設けられている請求項９または１０記載の記録媒体駆動装置。
【請求項１２】
前記ピックアップには、前記光記録材料層に対する前記参照光の入射角度を変化させる光走査器が設けられ、前記光記録材料層の記録位置に角度多重で記録されたデータを区別して読み取り可能である請求項１ないし１１のいずれかに記載の記録媒体駆動装置。
【請求項１３】
前記ピックアップから発せられる参照光の照射位置を、前記光記録材料層に対して所定量ずつシフトさせて、前記光記録材料層にシフト多重で記録されたデータを区別して読み取り可能である請求項２，４，６，８，１０のいずれかに記載の記録媒体駆動装置。
【請求項１４】
シフト多重では、干渉縞のデータが螺旋軌跡に沿って記録されている請求項１３記載の記録媒体駆動装置。
【請求項１５】
前記ピックアップには、前記撮像素子に代えてまたは前記撮像素子と共に空間変調器が設けられ、この空間変調器で変調されたデータ光が前記参照光と共に前記記録媒体に与えられ、前記光記録材料層内に、前記データ光と前記参照光とを干渉させた干渉縞をデータとして記録することが可能である請求項１ないし１１のいずれかに記載の記録媒体駆動装置。
【手続補正２】
【補正対象書類名】明細書
【補正対象項目名】発明の名称
【補正方法】変更
【補正の内容】
【発明の名称】記録媒体駆動装置
【手続補正３】
【補正対象書類名】明細書
【補正対象項目名】００１０
【補正方法】変更
【補正の内容】
【００１０】
本発明は上記従来の課題を解決するためのものであり、変形し難く且つ安価で携行性に優れた円筒型の記録媒体を駆動する記録媒体駆動装置を提供することを目的としている。
【手続補正４】
【補正対象書類名】明細書
【補正対象項目名】００１２
【補正方法】変更
【補正の内容】
【００１２】
第１の本発明は、円筒状の記録媒体と、前記記録媒体に対向するピックアップとが設けられた記録媒体駆動装置において、
前記記録媒体は、外周面に位置する光透過性の外円筒部材と、内周面に位置する内円筒部材と、前記外円筒部材と前記内円筒部材との間に封入された光記録材料層とを有し、前記光記録材料層の内部に、光を干渉させて形成した干渉縞がデータとして記録されており、
前記記録媒体の外周面に前記光ピックアップが対向し、前記光ピックアップには、光源と、前記光源から発せられた光を前記光記録材料層へ参照光として与える集束レンズと、前記記録媒体から外周面の外側へ向けて反射され且つ前記干渉縞で回折された再生光を読み取る撮像部材と、が設けられていることを特徴とするものである。
【手続補正５】
【補正対象書類名】明細書
【補正対象項目名】００１４
【補正方法】削除
【補正の内容】
【手続補正６】
【補正対象書類名】明細書
【補正対象項目名】００１６
【補正方法】変更
【補正の内容】
【００１６】
また本発明は、前記記録媒体は、内周面に雌ねじが形成されており、
外周面に雄ねじを有する嵌着部を有し、前記ピックアップが前記嵌着部の外周面に対向する位置に固定されており、
前記雌ねじが前記雄ねじに螺合した状態で前記記録媒体が回転させられ、前記記録媒体が前記嵌着部の軸方向へ移動する際に、前記ピックアップから前記光記録材料層へ前記参照光が与えられて、前記再生光が読み取られるものである。
【手続補正７】
【補正対象書類名】明細書
【補正対象項目名】００１８
【補正方法】変更
【補正の内容】
【００１８】
また本発明は、前記記録媒体の一端部を保持する保持部材と、前記ピックアップを搭載した可動部材と、前記可動部材を前記記録媒体の外周面に対向させて前記記録媒体の軸方向へ移動させる移動機構と、が設けられているものである。
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】変更
【補正の内容】
【００２５】
また本発明は、前記記録媒体を収納する筒状のハウジングと、前記ハウジングの一方の端部に設けられて前記記録媒体の一端を保持して前記ハウジング内で回転する保持部材とを有し、前記ハウジングにスリットが形成されており、
回転駆動機構によって前記保持部材が記録媒体と共に前記ハウジング内で回転させられ、前記可動部材が前記スリットに沿って移動させられる際に、前記参照光が前記スリットを介して前記光記録材料層へ与えられ、前記再生光が前記スリットを介して前記ピックアップで読み取られるものである。
【手続補正１２】
【補正対象書類名】明細書
【補正対象項目名】００２７
【補正方法】削除
【補正の内容】
【手続補正１３】
【補正対象書類名】明細書
【補正対象項目名】００２９
【補正方法】変更
【補正の内容】
【００２９】
第２の本発明は、円筒状の記録媒体と、前記記録媒体に対向するピックアップとが設けられた記録媒体駆動装置において、
前記記録媒体は、外周面に位置する外円筒部材と、内周面に位置する光透過性の内円筒部材と、前記外円筒部材と前記内円筒部材との間に封入された光記録材料層とを有し、前記光記録材料層の内部に、光を干渉させて形成した干渉縞がデータとして記録されており、
前記記録媒体の内周面に前記光ピックアップが対向し、前記光ピックアップには、光源と、前記光源から発せられた光を前記光記録材料層へ参照光として与える集束レンズと、前記記録媒体から内周面の内側へ向けて反射され且つ前記干渉縞で回折された再生光を読み取る撮像部材と、が設けられていることを特徴とするものである。
【手続補正１４】
【補正対象書類名】明細書
【補正対象項目名】００３０
【補正方法】変更
【補正の内容】
【００３０】
また本発明は、前記記録媒体は、外周面に雄ねじが形成されており、
内周面に雌ねじを有する嵌着部を有し、前記ピックアップが前記嵌着部の内周面に対向する位置に固定されており、
前記雄ねじが前記雌ねじに螺合した状態で前記記録媒体が回転させられ、前記記録媒体が前記嵌着部の軸方向へ移動する際に、前記ピックアップから前記光記録材料層へ前記参照光が与えられて、前記再生光が読み取られるものである。
【手続補正１５】
【補正対象書類名】明細書
【補正対象項目名】００３１
【補正方法】変更
【補正の内容】
【００３１】
上記においては、前記記録媒体の一端部を保持する保持部材と、前記ピックアップを搭載した可動部材と、前記可動部材を前記記録媒体の内周面に対向させて前記記録媒体の軸方向へ移動させる移動機構と、が設けられているものが好ましい。さらに、前記保持部材を、記録媒体と共に周方向に回転させる回転駆動機構が設けられているものが好ましい。
【手続補正１６】
【補正対象書類名】明細書
【補正対象項目名】００３２
【補正方法】変更
【補正の内容】
【００３２】
また、本発明は、前記ピックアップには、前記光記録材料層に対する前記参照光の入射角度を変化させる光走査器が設けられ、前記光記録材料層の記録位置に角度多重で記録されたデータを区別して読み取り可能である。
【手続補正１７】
【補正対象書類名】明細書
【補正対象項目名】００３３
【補正方法】変更
【補正の内容】
【００３３】
また、本発明は、前記ピックアップから発せられる参照光の照射位置を、前記光記録材料層に対して所定量ずつシフトさせて、前記光記録材料層にシフト多重で記録されたデータを区別して読み取り可能とすることができる。
上記のシフト多重では、干渉縞のデータが螺旋軌跡に沿って記録されているものにできる。
【手続補正１８】
【補正対象書類名】明細書
【補正対象項目名】００３４
【補正方法】変更
【補正の内容】
【００３４】
また、本発明は、前記ピックアップには、前記撮像素子に代えてまたは前記撮像素子と共に空間変調器が設けられ、この空間変調器で変調されたデータ光が前記参照光と共に前記記録媒体に与えられ、前記光記録材料層内に、前記データ光と前記参照光とを干渉させた干渉縞をデータとして記録することが可能である。
【手続補正１９】
【補正対象書類名】明細書
【補正対象項目名】００４３
【補正方法】変更
【補正の内容】
【００４３】
図２Ａ，Ｂに第１の実施の形態として示す円筒型の記録媒体１０Ａは、少なくとも記録面側となる前記外円筒部材１１が光透過性の材料で形成されており、他方の内円筒部材１２の内壁にはピッチ寸法が広い雌ねじ部１２ａが形成されている。また前記記録媒体１０Ａの一端には把持部１６が一体に形成されている。
【手続補正２０】
【補正対象書類名】明細書
【補正対象項目名】００４７
【補正方法】変更
【補正の内容】
【００４７】
図２Ａ，Ｂに示す第１の実施の形態では、前記挿入孔２２内には前記記録媒体１０Ａが嵌着される嵌着部２３が設けられている。前記嵌着部２３は凸状をしており、外形寸法は前記記録媒体１０Ａの内径寸法よりもわずかに小さく、その外周面には雄ねじ２３ａが形成されている。
【手続補正２１】
【補正対象書類名】明細書
【補正対象項目名】０１０４
【補正方法】変更
【補正の内容】
【０１０４】
１０，１０Ａ，１０Ｂ，１０Ｃ，１０Ｄ  記録媒体
１１  外円筒部材
１２  内円筒部材
１２ａ  雌ねじ部
１３  隙間
１３ａ  雄ねじ部
１４  光記録材料
１５  封止部材
１６  把持部
２０  装着部
２１  パネル面
２２  挿入孔
２３  嵌着部
２３ａ  雄ねじ
２４  嵌着部
２４ａ  雌ねじ
３０，３０Ａ，３０Ｂ，３０Ｃ，３０Ｄ  ピックアップ
３１  光源
３２  ビームエクスパンダ
３３  コリメータレンズ
３４ａ  ミラー
３４  ミラーアクチュエータ
３５  ピンホールフィルタ
３６  撮像部材
４０，４０Ａ，４０Ｂ  記録媒体駆動装置
４１  回転駆動部材
４２  保持部材
４２Ａ  保持円筒部
４２Ｂ  基端部
４３  駆動モータ
４５  移動部材
４６  ガイド軸
４７  スクリュー軸４７
４８，４８Ａ，４８Ｂ  可動部材
５１，５２，５３，５４  移動部材
６０  カートリッジ
６１  蓋部
６２  底部
６３  ハウジング
６３ａ  スリット
６４  保持部材
６５  小歯車（動力伝達部材）
７２  ステッピングモータ（回転駆動部材）